(57)【特許請求の範囲】
【請求項１】
移動体と、
前記移動体をスライド自在に収納する収納部を有するケースと、
前記ケースの収納部を覆うと共に、前記移動体を操作する操作部を外部に引き出す開口を有するカバーと、
前記移動体の移動によって出力信号を変化させる検出手段と、を有する電子部品において、
前記ケースの収納部内に前記カバーの開口から侵入した塵芥の前記検出手段側への侵入を防止する保護板を設置すると共に、
前記移動体は、前記操作部によって操作される上側移動体と、前記検出手段を取り付ける下側移動体とを、前記保護板をスライド自在に挟んで一体化することで構成されており、
また前記保護板と前記下側移動体との間には、前記移動体の移動に所望の動作力を付与する動作力付与部を設け、
当該動作力付与部は、前記保護板の下面上に当接して摺動する摺動板と、前記下側移動体と前記摺動板間に設置される板バネと、を具備して構成され、
前記上側移動体に設けた突起部を前記下側移動体に設けた切欠きに圧入することで両者を一体に固定し、
これによって前記板バネの弾発力にて前記摺動板を前記保護板に押し当てることを特徴とする電子部品。
【請求項２】
請求項１に記載の電子部品であって、
前記上側移動体の下面両側辺のそれぞれ中央部に一対形成した凹部に、前記摺動板に設けた突起部を、当該摺動板が上下動自在となるように係合したことを特徴とする電子部品。
【請求項３】
請求項１又は２に記載の電子部品であって、
前記下側移動体の切欠きは、矩形状に形成されている当該下側移動体の４箇所の角部に形成されていることを特徴とする電子部品。
【発明の詳細な説明】
【技術分野】
【０００１】
本発明は、スライド式可変抵抗器やスライド式スイッチのようにケース内を所定方向にスライドさせる移動体を備えた電子部品に関するものである。
【背景技術】
【０００２】
従来、このように移動体をケース内の所定方向にスライド（移動）させる電子部品としては、特許文献１に開示されるスライド式電子部品がある。図７及び図８はこのスライド式電子部品１００の構成を示す断面図及び外観図である。両図に示すように、スライド式電子部品１００は、長尺のケース１０１と、ケース１０１内を長尺方向（図８の矢印Ｃ方向）に移動する移動体１０２とを具備する。ケース１０１の上部はカバー１０３に覆われ、このカバー１０３に設けられた長尺の開口１０３ａを貫通して移動体１０２を移動させるためのレバー状の操作部１０４が上方に突出している。
【０００３】
移動体１０２の下面には一対の摺動子１１０，１１０が取り付けられ、各摺動子１１０の一対ずつの摺動片１１１，１１１がフレキシブル回路基板１１３の摺接パターン１１２に摺接している。移動体１０２の上面とカバー１０３の天井下面の間には摺動板１１７と弾発板１１８が介在しており、摺動板１１７と弾発板１１８とには開口が設けられ、これら開口を貫通して前記操作部１０４が上方に突出し、移動体１０２の移動に連動して摺動板１１７及び弾発板１１８も移動するようになっている。また、弾発板１１８の弾性力で摺動板１１７がカバー１０３の天井下面に所定圧力で弾接すると共に、各摺動子１１０の摺動片１１１が所定圧力で摺接パターン１１２に弾接している。この摺動板１１７のカバー１０３への弾接力と、摺動片１１１の摺接パターン１１２への弾接力とによる抵抗等に対して所望の動作力で操作部１０４を操作することにより、移動体１０２がケース１０１内を長尺方向Ｃに移動する。この移動体１０２の移動により、摺接パターン１１２が例えば抵抗体パターンである場合は、端子板１１９間の抵抗値が変化する。
【０００４】
上記構成のスライド式電子部品１００において、カバー１０３には操作部１０４が貫通し、長尺方向に移動可能にするため、長尺の開口１０３ａが設けられており、この開口１０３ａを通ってケース１０１内に塵芥が侵入するという問題があった。この問題を解決するため、特許文献２では、図９に示すように、可撓性を有し、中央部に長尺方向に切欠き１３１を設けた樹脂シート等からなるテープ１３０を用意して、カバー１０３の開口１０３ａの上に被せるように接着し、その際、切欠き１３１に操作部１０４を貫通させる方法が用いられていた。これによってカバー１０３の上面の開口１０３ａはテープ１３０で覆われるから、ケース１０１内への塵芥侵入を防止できる。
【先行技術文献】
【特許文献】
【０００５】
【特許文献１】特開２００７−９６０５９号公報
【特許文献２】特許第２６５４４１１号公報
【発明の概要】
【発明が解決しようとする課題】
【０００６】
上記のように、スライド式電子部品１００のケース１０１内への塵芥の侵入を防止するために、カバー１０３の開口１０３ａを切欠き１３１を有する可撓性のテープ１３０で覆う方法は、テープ１３０をカバー１０３の上面に貼り付ける工程を自動化することが困難で、この工程を手作業に頼らざるを得ず、スライド式電子部品１００の組み立ての全自動化が困難で、製造コストが嵩むと共に、テープ１３０の貼り付けに手作業が介在するため、テープ１３０の貼り付け位置等にスライド式電子部品１００毎にムラが生じ、製品の均一化に支障が生じる恐れもあった。
【０００７】
また上記スライド式電子部品１００を組み立てる際は、摺動板１１７中央に設けた開口と、弾発板１１８中央に設けた開口に、移動体１０２の操作部１０４を挿入しなければならないが、これら開口や操作部１０４は小さいので、その挿入作業には精密な位置合わせが必要で、この点からもスライド式電子部品１００の組立作業性は良くなかった。この問題は、特に、組立方法として、カバー１０３を上下逆転して、その上からカバー１０３の内部に摺動板１１７、弾発板１１８、移動体１０２・・の順に各部品を組み込む方法を用いた場合に大きくなる（カバー１０３の開口１０３ａに摺動板１１７の開口と弾発板１１８の開口とを位置合わせした上で、これら３つの開口に操作部１０４を挿入しなければならないから）。
【０００８】
本発明は上述の点に鑑みてなされたものであり、その目的は、内部に設置した検出手段への塵芥の侵入を防止でき、また移動体に所望の動作力を付与でき、さらに組立作業が容易で、製造コストの低減化を図ることができる電子部品を提供することにある。
【課題を解決するための手段】
【０００９】
上記課題を解決するため本発明は、移動体と、前記移動体をスライド自在に収納する収納部を有するケースと、前記ケースの収納部を覆うと共に、前記移動体を操作する操作部を外部に引き出す開口を有するカバーと、前記移動体の移動によって出力信号を変化させる検出手段と、を有する電子部品において、前記ケースの収納部内に前記カバーの開口から侵入した塵芥の前記検出手段側への侵入を防止する保護板を設置すると共に、前記移動体は、前記操作部によって操作される上側移動体と、前記検出手段を取り付ける下側移動体とを、前記保護板をスライド自在に挟んで一体化することで構成されており、また前記保護板と前記下側移動体との間には、前記移動体の移動に所望の動作力を付与する動作力付与部を設け、当該動作力付与部は、前記保護板の下面上に当接して摺動する摺動板と、前記下側移動体と前記摺動板間に設置される板バネと、を具備して構成され、前記上側移動体に設けた突起部を前記下側移動体に設けた切欠きに圧入することで両者を一体に固定し、これによって前記板バネの弾発力にて前記摺動板を前記保護板に押し当てることを特徴としている。
本発明によれば、カバーの開口から侵入する塵芥は、保護板により、それより下方（即ちケース内の検出手段が配置された領域）への侵入が阻止される。
【００１０】
また、移動体の操作に所望の動作力を付与することができ、電子部品を安定した操作力で操作できると共に、振動等により移動体が不用意に移動することを防止できる。
【００１１】
また、保護板と下側移動体の間に摺動板と板バネとを重ねて設置する構成なので、動作力付与部を簡単な構造で構成でき、また組み立て時に微細な位置合わせを行う必要がなくて電子部品の自動組立が容易に行え、その製造コストの低減化を図ることができる。
また本発明は、上記特徴に加え、前記上側移動体の下面両側辺のそれぞれ中央部に一対形成した凹部に、前記摺動板に設けた突起部を、当該摺動板が上下動自在となるように係合したことを特徴としている。
また本発明は、上記特徴に加え、前記下側移動体の切欠きは、矩形状に形成されている当該下側移動体の４箇所の角部に形成されていることを特徴としている。
【発明の効果】
【００１２】
本発明によれば、ケース内部に設置した検出手段への塵芥の侵入を防止でき、また移動体に所望の動作力を付与でき、さらに組立作業が容易で、製造コストの低減化を図ることができる。
【図面の簡単な説明】
【００１３】
【図１】電子部品（スライド式電子部品）１の斜視図である。
【図２】電子部品１の分解斜視図である。
【図３】電子部品１を下側から見た分解斜視図である。
【図４】電子部品１の断面図（図１のＡ−Ａ矢視断面）である。
【図５】電子部品１の移動体２の部分の要部側断面図である。
【図６】電子部品１の移動体２の部分を下側から見た要部分解斜視図である。
【図７】スライド式電子部品１００の断面図である。
【図８】スライド式電子部品１００の斜視図である。
【図９】スライド式電子部品１００に用いるテープ１３０の斜視図である。
【発明を実施するための形態】
【００１４】
以下、本発明の実施形態を、図面を参照して詳細に説明する。図１乃至図６は本発明の一実施形態に係る電子部品（以下「スライド式電子部品」という）１を示す図であり、図１は外観斜視図（スライド式電子部品１を斜め上方から見た図）、図２は分解斜視図（分解したスライド式電子部品１を斜め上方から見た図）、図３は分解斜視図（分解したスライド式電子部品１を斜め下方から見た図）、図４は断面図（図１のＡ−Ａ矢視断面）、図５は移動体２の部分の要部側断面図、図６は移動体２の部分の要部分解斜視図（分解した移動体２の部分を斜め下方から見た図）である。
【００１５】
図示するように、スライド式電子部品１は、移動体２（２−１，２−２）と、移動体２をスライド自在に収納する収納部１９ａを有するケース３と、ケース３の上面と、両側面及び両端面の一部を覆うように形成されたカバー４と、移動体２の移動によって出力信号を変化させる検出手段５（摺動子１６と摺接パターン２０ａ）と、カバー４の上面に設けた開口４ａからケース３内に侵入した塵芥がケース３内の検出手段５を配置した領域に侵入するのを防止する保護板（防塵板）７と、を具備して構成されている。
【００１６】
移動体２は、上側移動体２−１と下側移動体２−２とを具備し、後述するように上側移動体２−１と一体に下側移動体２―２が移動するように構成されている。上側移動体２−１は、金属材等からなるレバー状の操作部８の下端部に図４及び図５に示すように、樹脂材からなる上側移動体本体部１１を樹脂モールドにて一体に成形し、この上側移動体本体部１１の上面で且つ操作部８の外周に、操作部８の上側移動体本体部１１への固定を補強する補強部１２を形成して構成されている。
【００１７】
また、上側移動体本体部１１の下面中央部には保護板７が収容される凹部１１ｇが長尺方向（図１の矢印Ｂ方向）に貫通して形成されている。また上側移動体本体部１１の下面の４箇所の角部には、後述する下側移動体２−２の４箇所の角部に形成された各切欠き１３ａに係合（圧入）される突起部１１ａが形成され、また下面両側辺の中央部にはそれぞれ略矩形状の凹部１１ｅが形成されている。更に上面の４箇所の角部には後述するカバー４の天井下面に摺接する摺接突起部１１ｃが形成されている。
【００１８】
下側移動体２−２は、略矩形状の樹脂材板からなる下側移動体本体部１３によって構成されており、その４箇所の角部には上記上側移動体本体部１１の４個の突起部１１ａにそれぞれ係合（圧入）される切欠き１３ａが形成されている。下側移動体本体部１３の下面には弾性を有し且つ電気伝導度の良い金属板からなる一対の摺動子１６，１６が取り付けられる。摺動子１６のそれぞれには一対の摺動片１６ａ，１６ａが一体的に設けられている。また、下側移動体本体部１３の上面には板バネ１４を介在させ、この板バネ１４の弾発片１４ａの弾性力で摺動板１５が保護板７に圧接するようになっている。ここで板バネ１４と摺動板１５によって動作力付与部６が構成されている。また、摺動板１５の両側辺中央には上側移動体本体部１１の下面両側辺の中央に設けられた上記凹部１１ｅ，１１ｅに挿入されて上下動自在にガイドされる略矩形状の突起部１５ａ，１５ａが外方に突出して形成されている。
【００１９】
保護板７は長尺矩形平板状の樹脂板からなり、その両端には互いに対向しないように位置をずらして固定用の突起部１７ａ，１７ａを外方に突出している。突起部１７ａ，１７ａを後述するように、ケース３の両端壁１９ｄ，１９ｄとカバー４の両端壁２１ｃ，２１ｃとの間に挟持することにより、保護板７をケース３の収納部１９ａ内の所定位置に固定するようになっている。
【００２０】
ケース３は、上面が解放された長尺矩形状の箱型で、移動体２が長尺方向にスライド移動自在に収容される凹状の収納部１９ａを有し、この収納部１９ａの両側を側壁１９ｂ，１９ｂ、両端を端壁１９ｄ，１９ｄとして構成されている。ケース３の底部には、図４に示すように、下側移動体本体部１３の下面に取り付けた一対の摺動子１６，１６のそれぞれ一対ずつの摺動片１６ａ，１６ａに摺接する抵抗体からなる摺接パターン２０ａが複数本（図では４本）形成された回路基板（この例ではフレキシブル回路基板）２０がインサート成形によって設置されている。また、ケース３の両側壁１９ｂ，１９ｂの上端辺には、後述するカバー４の各係合穴２１ｄに挿入される係合突起１９ｃが所定の間隔で複数個設けられている。また、ケース３の両側壁１９ｂ，１９ｂの内面には、底部から所定の高さ位置に段部１９ｇが形成されている。段部１９ｇ上には、上側移動体本体部１１の突起部１１ａの下端面が載置される。
【００２１】
また、ケース３の両端壁１９ｄ，１９ｄの外側面には後述するカバー４の両端壁２１ｃ，２１ｃの下端に設けた突起部２１ｇ，２１ｇが挿入される凹部１９ｅ，１９ｅが形成され、更に両端壁１９ｄ，１９ｄの外側面からはケース３内にインサート成形した回路基板２０に形成された摺接パターン２０ａの端部上に電気的に接続された複数本（図では一方の端壁１９ｄに２本、他方の端壁１９ｄに４本の計６本）の端子板１９ｆが突出している。また、両側壁１９ｂ，１９ｂの外側には、後述するようにカバー４をケース３に固定するための複数個（図では６個）の係合突起１９ｊと複数個（図では２個）の係合突起１９ｋが設けられている。
【００２２】
カバー４は、ケース３の上面、両側壁１９ｂ，１９ｂの外側面の一部及び両端壁１９ｄ，１９ｄの外側面の一部を覆うように、金属板を板金加工等することにより、下面が解放された箱型に形成して構成されており、上面２１ａと、上面２１ａの両側に位置する両側壁２１ｂ，２１ｂと、両端に位置する両端壁２１ｃ，２１ｃと、を具備している。カバー４の両側壁２１ｂ，２１ｂを折り曲げた角辺には、ケース３の各係合突起１９ｃを挿入する複数個の係合穴２１ｄが各係合突起１９ｃと対応するように所定の間隔で設けられている。
【００２３】
また、両側壁２１ｂ，２１ｂのそれぞれの下端辺には、ケース３にカバー４を固定するための複数（図では１０個ずつ）の爪部材２１ｅと、スライド式電子部品１を他の装置に取り付けるための複数（図では２個ずつ）の取付爪部材２１ｆと、位置決め用の両端の突起部２１ｍとが設けられている。また、カバー４の両端壁２１ｃ，２１ｃの下端には保護板７の両端に設けた突起部１７ａ，１７ａを収容する凹部２１ｈ，２１ｈが形成されており、凹部２１ｈ，２１ｈに保護板７の突起部１７ａ，１７ａを収容して保護板７をカバー４内の所定位置に配置し、ケース３の両端壁１９ｄ，１９ｄの上端とカバー４の両端壁２１ｃ，２１ｃの下端との間に突起部１７ａ，１７ａを挟持し、保護板７をケース３の収納部１９ａ内の所定の高さ位置に保持するようになっている。
【００２４】
次に、スライド式電子部品１の組み立て方法について説明する。なお、各部品の組み立ては、実際には全部品を上下逆向きとし、最も下に位置するカバー４に対してその他の各部品をその上に順番に組み込んでいくが、以下の説明では、説明の都合上、カバー４の下側に各部品を組み込んでいくように説明する。まず予め、下側移動体本体部１３の下面に設けた４つの突起部１３ｃを、それぞれ摺動子１６に一対ずつ設けた取付穴１６ｃ，１６ｃに挿入した後、熱カシメにより各突起部１３ｃを潰して、一対の摺動子１６，１６を下側移動体本体部１３の下面に取り付けておく。そしてカバー４の下側の開口内に、上側移動体２−１を収納し、その際、操作部８及び補強部１２をカバー４の開口４ａに貫通させる。これにより図４に示すように、操作部８及び補強部１２がカバー４の開口４ａから突出すると共に、上側移動体本体部１１の上面角部に設けた４個の摺接突起部１１ｃの上面がカバー４の天井下面（カバー４の上面２１ａの反対面）に当接する。
【００２５】
次に、保護板７を上側移動体２−１の上側移動体本体部１１の下面に形成された凹部１１ｇに収容すると共に、保護板７の両端の突起部１７ａ，１７ａをカバー本体２１の両端壁２１ｃ，２１ｃの凹部２１ｈ，２１ｈに挿入して保護板７をカバー４内の所定位置に位置決めする。次に、摺動板１５を保護板７の下面上に載置する。その際、摺動板１５の突起部１５ａ，１５ａを上側移動体本体部１１の凹部１１ｅ，１１ｅに挿入して摺動板１５を上下動自在に上側移動体本体部１１に係合させる。
【００２６】
次に、板バネ１４を摺動板１５の下面上に載置する。その際、板バネ１４の中央部（略矩形状の基部）に形成された一対の係合穴１４ｂ，１４ｂに摺動板１５の下面に形成された一対の突起部（係合部）１５ｅ，１５ｅを挿入して板バネ１４を摺動板１５に係合する。なお、板バネ１４の両側辺にはそれぞれ一体的に一対ずつ長尺方向逆向きに突出する弾発片１４ａが形成されている。各弾発片１４ａは、その根元部分を折り曲げることで、先端に向かって下方向に傾斜している。
【００２７】
次に、下側移動体本体部１３を板バネ１４の下面上に載置し、同時に上側移動体本体部１１の各突起部１１ａを下側移動体本体部１３の各切り欠き１３ａに圧入し、両者を一体に固定する。このとき、摺動板１５の下面の一対の突起部１５ｅ，１５ｅを下側移動体本体部１３の中央部に形成された一対の係合穴（係合部）１３ｇ，１３ｇに上下動自在に挿入して下側移動体本体部１３を板バネ１４及び摺動板１５に係合させ、移動体２と板バネ１４と摺動板１５が長尺方向に一体に移動するようにする。これによって、摺動板１５は板バネ１４の弾発片１４ａが下側移動体本体部１３の上面を弾発することで、保護板７の下面に弾接される。
【００２８】
次に、カバー４の下に、ケース３を設置する。その際、ケース３の両側壁１９ｂ，１９ｂの外側面がカバー４の両側壁２１ｂ，２１ｂの内側面に接し、ケース３の両端壁１９ｄ，１９ｄの外側面がカバー４の両端壁２１ｃ，２１ｃの内側面に接する。同時にカバー４の各係合穴２１ｄに、ケース３の各係合突起１９ｃが挿入され、これによってケース３の左右両側壁１９ｂ，１９ｂの反り（特に内側への反り）が防止でき、両側壁１９ｂ，１９ｂ間の離間間隔を長尺方向に向かって確実に一定にすることができる。これによって、移動体２のスライド移動を収納部１９ａの全長に渡ってスムーズに行わせることができる。またこのとき図４に示すように、ケース３の側壁１９ｂ，１９ｂ上部の内面間の幅寸法を、上方が大きく下方が小さくなるテーパ面１９ｍ，１９ｍとすることで上方の幅寸法を大きくしているので、各部品、即ち上側移動体２−１、保護板７、摺動板１５、板バネ１４、下側移動体２−２等をスムーズにケース３の収納部１９ａ内に収納することができる。特に摺動子１６を取り付けた下側移動体２−２を収納部１９ａに収納する際、摺動子１６が側壁１９ａに接触して損傷するのを防ぐことができる。さらにこのとき、上側移動体本体部１１に設けた突起部１１ａの下端面が両側壁１９ｂ，１９ｂの内側に形成された段部１９ｇ，１９ｇの上面に当接し、支持される。
【００２９】
またこのとき、カバー４の両側壁２１ｂの下端に設けた爪部材２１ｅと、取付爪部材２１ｆと、突起部２１ｍとの間に、ケース３の側壁１９ｂの外側面に設けた係合突起１９ｊと係合突起１９ｊとが挿入されている。そして、図１に示すように、係合突起１９ｊ及び係合突起１９ｋの下端角部で爪部材２１ｅをケース３の側壁１９ｂの外側面に沿って折り曲げることにより、カバー４をケース３に固定する。このように爪部材２１ｅを係合突起１９ｊや係合突起１９ｋの下端角部でケース３の両側壁１９ｂの外側面に沿って折り曲げることにより、従来のように爪部材をケースの下面に折り曲げる方法に比べて爪部材の厚み分だけスライド式電子部品１の厚みを薄くできる。以上により、スライド式電子部品１の組み立てが完了する。なお上記組立手順はその一例であり、他の各種異なる組立手順を用いて組み立てても良いことはいうまでもない。
【００３０】
以上説明したように、上記スライド式電子部品１の組み立ては、カバー４の下側から、上側移動体２−１と、保護板７と、摺動板１５と、板バネ１４と、摺動子１６，１６を取り付けた下側移動体本体部１３と、ケース３と、を順に組み込み、最後に各爪部材２１ｅを折り曲げることでその組み立てが行えるので、スライド式電子部品１の組み立てが容易で、その組立作業の完全自動化を容易に実現できる。
【００３１】
上記構成のスライド式電子部品１において、移動体２を構成する上側移動体２−１と下側移動体２−２とは、ケース３の収納部１９ａ内の所定の位置に保持されている保護板７をスライド自在に挟んで、一体化されているので、操作部８をカバー４上面の開口４ａの長手方向に沿って移動させると、下側移動体２−２も移動する。これにより検出手段５を構成する摺動子１６の摺動片１６ａも回路基板２０の摺接パターン２０ａ上を移動するので、例えば本実施形態のように摺接パターン２０ａが抵抗体からなる場合、各端子板１９ｆ間の抵抗値が変化し、移動体２の移動を検出できる。摺動板１５は板バネ１４の弾性片１４ａの弾性力によって保護板７に弾接しているので、移動体２の移動に所望の動作力を付与することができ、移動体２を安定した操作力で操作できると共に、振動等により移動体２が不用意に移動することを防止できる。
【００３２】
ここで、保護板７は、ケース３の収納部１９ａ内の所定の位置、即ち図４で示す検出手段５を構成する摺接パターン２０ａや摺動子１６，１６の上部に配置されているので、カバー４上面の開口４ａから侵入した塵芥は、保護板７に堆積することになり、保護板７より下方の領域には侵入しにくくなる。なお、保護板７は、図４に示すように、ケース３の収納部１９ａの全幅にわたっては配置されておらず、完全な検出手段５の部分の防塵は行えない。しかし、保護板７は少なくとも、その幅がカバー４の開口４ａよりも幅広なので、開口４ａより侵入した塵芥の多くは保護板７上に載置できる。また保護板７の幅は、４本の摺接パターン２０ａのそれぞれの間の隙間（３か所）の真上を超える幅に形成されている。このため例え塵芥が保護板７の両側から検出手段５側に侵入したとしても、侵入した塵芥は各摺接パターン２０ａ間の隙間上には付着しにくく、このため各摺接パターン２０ａ間のショートを効果的に防止することができる。即ち、検出手段５の配置領域に塵芥が侵入し検出手段５の検出機能を阻害することを極力防止することができる。
【００３３】
以上本発明の実施形態を説明したが、本発明は上記実施形態に限定されるものではなく、特許請求の範囲、及び明細書と図面に記載された技術的思想の範囲内で種々の変形が可能である。例えば、上記実施形態では、摺接パターンを抵抗体パターンとしたスライド式可変抵抗器を示したが、これに限定されるものではなく、例えば摺接パターンをスイッチパターンとしてスライド式スイッチとすること等も可能である。要は、操作部を操作することで出力信号を変化させる検出手段を有する電子部品であればよい。また上記実施形態ではスライド移動方向として直線方向を示したが、スライド移動方向は、円弧方向やその他の曲線方向など、直線方向以外の各種方向を含む概念である。また、摺動板を弾発する手段として、板バネ以外の各種弾発手段を用いても良い。また上記実施形態では、摺動板の下面に突起部を設け、この突起部を下側移動体に設けた係合穴に挿入するように構成したが、その代りに、下側移動体の上面に突起部（係合部）を設け、この突起部を摺動板に設けた係合穴（係合部）に挿入するように構成しても良い（但し、本実施形態のように構成する方が、カバーの下側から各部品を挿入して組み立てるには好適である）。
【符号の説明】
【００３４】
１  スライド式電子部品（電子部品）
２  移動体
２−１  上側移動体
２−２  下側移動体
３  ケース
４  カバー
４ａ  開口
５  検出手段
６  動作力付与部
７  保護板（防塵板）
８  操作部
１４  板バネ（動作力付与部、弾発手段）
１４ａ  弾発片
１５  摺動板（動作力付与部）
１６  摺動子（検出手段）
１９ａ  収納部
２０  フレキシブル回路基板（回路基板）
２０ａ  摺接パターン（検出手段）
【図１】
0006562733.tif 000002
【図２】
0006562733.tif 000003
【図３】
0006562733.tif 000004
【図４】
0006562733.tif 000005
【図５】
0006562733.tif 000006
【図６】
0006562733.tif 000007
【図７】
0006562733.tif 000008
【図８】
0006562733.tif 000009
【図９】
0006562733.tif 000010